(57)【要約】【課題】汚水処理施設おける流量調整槽から処理槽へ廃水を移送するについて、コスト高の要因となる計量槽の介装を不要とし、該計量槽からの返送水が無くなることでポンプによる処理槽への送水が無駄なく行われて省エネルギー効果が得られ、且つ、流量調整槽内の異常増水時にも従来のような緊急排水ポンプやオーバーフロー設備の付設を不要として、ローコストに実施し得られる廃水の移送方法を提供する。【解決手段】電磁流量計５からの信号をインバータ４にフィードバックし、インバータ４に予め設定した目標流量値が一定となるよう主ポンプ３Ａをその定格回転速度よりも低速度で運転させ、水位検出器２の検出信号をインバータ４に入力することにより、流量調整槽１内の異常増水検出時には目標流量値を高くして移送量が増大させ、更に異常増水状態が解消されないときは前記主ポンプ３Ａと共に予備ポンプ３Ｂの稼動により緊急送水を行わせる。【選択図】        図１
2005013911.tif 000002
【特許請求の範囲】
【請求項１】
流量調整槽から処理槽へ廃水を移送するについて、主ポンプおよび予備ポンプの回転速度を制御するインバータと、吐出量を実測する電磁流量計と、流量調整槽内の水位を検出する水位検出器を併用し、電磁流量計により吐出量を常に測定しながら電磁流量計からの信号を演算装置の組み込まれたインバータにフィードバックし、インバータに予め設定した目標流量値が一定となるよう主ポンプをその定格回転速度よりも低速度で運転させ、水位検出器の検出信号をインバータに入力することにより、流量調整槽への異常増水による水位上昇検出時には目標流量値を高くして移送量が増大するようポンプ能力を高めさせ、更に異常増水による水位上昇状態が解消されないときは前記主ポンプと共に予備ポンプの稼動により緊急送水を行わせることを特徴とする、汚水処理施設における廃水の移送方法。
【発明の詳細な説明】
【０００１】
【発明の属する技術分野】
本発明は主として、汚水処理施設における流量調整槽から処理槽へ廃水を移送するための方法に関するものである。
【０００２】
【従来の技術】
合併処理浄化槽において従来から、流量調整槽と処理槽との間に計量槽と呼ばれる槽を介在させ、該計量槽により所定以上の過大な余剰流量は流量調整槽へ返送させて必要流量のみを処理槽へ移送するという手法は公知である（例えば、特許文献１参照）。
【０００３】
【特許文献１】
特開平７−２４１５７９号公報  （０００４、第２図）
【０００４】
【発明が解決しようとする課題】
特許文献１において従来技術として記載されている前述の手法では、ポンプの水量変動には対応できず、且つ、計量槽設置による設備コストの増大が避けられないという欠点がある。また、流量調整槽内に２台のポンプを設置して、平時は１台のポンプで処理槽への送水を行わせ、流量調整槽内が異常増水したときに２台のポンプを同時に運転させ、処理槽への送水量を増大させることで流量調整槽内の異常増水状態を解消させようとしても、計量槽からの余剰返送水量が多くなるので結局は流量調整槽内の異常増水状態を解消させることができない。そのために緊急排水用として計量槽を通さない緊急排水ポンプを別設したり、或いはオーバーフロー設備を付設するなどで対応することも技術的には可能であるが、いずれも設備コストの更なる増大を伴う結果となる。
【０００５】
本発明の目的は、汚水処理施設おける流量調整槽から処理槽へ廃水を移送するについて、コスト高の要因となる計量槽の介装を不要とし、該計量槽からの返送水が無くなることでポンプによる処理槽への送水が無駄なく行われて省エネルギー効果が得られ、且つ流量調整槽内の異常増水時にも従来のような緊急排水ポンプやオーバーフロー設備の付設を不要として、ローコストに実施し得られる廃水の移送方法を提供することにある。
【０００６】
【問題を解決するための手段】
本発明に係る汚水処理施設における廃水の移送方法では、流量調整槽から処理槽へ廃水を移送するについて、主ポンプおよび予備ポンプの回転速度を制御するインバータと、吐出量を実測する電磁流量計と、流量調整槽内の水位を検出する水位検出器を併用し、電磁流量計により吐出量を常に測定しながら電磁流量計からの信号を演算装置の組み込まれたインバータにフィードバックし、インバータに予め設定した目標流量値が一定となるよう主ポンプをその定格回転速度よりも低速度で運転させ、水位検出器の検出信号をインバータに入力することにより、流量調整槽への異常増水による水位上昇検出時には目標流量値を高くして移送量が増大するようポンプ能力を高めさせ、更に異常増水による水位上昇状態が解消されないときは前記主ポンプと共に予備ポンプの稼動により緊急送水を行わせる。
【０００７】
【発明の実施の態様】
以下本発明の実施の態様を図１ないし図３により説明をする。
【０００８】
１は家庭等から排出されて来る廃水を一時貯留する流量調整槽、２は流量調整槽１内の水位を検出する水位検出器、３Ａは流量調整槽１内から処理槽へ廃水を移送するための主ポンプ、３Ｂは予備ポンプであり該予備ポンプ３Ｂは必ずしも１台に限られるものではなく、複数台使用されることもある。４は主ポンプ３Ａおよび予備ポンプ３Ｂの回転速度を制御するインバータ、５は吐出量を実測する電磁流量計であり、該電磁流量計５により吐出量を常に測定しながらアナログ信号として演算装置の組み込まれたインバータ４にフィードバックし、インバータ４に予め設定した目標流量値が一定となるよう主ポンプ３Ａをその定格回転速度よりも低速度で運転させ、流量調整槽１内から処理槽へ廃水が定量移送されることになる。
【０００９】
そして水位検出器２により流量調整槽１内が異常増水により水位上昇したことを検出すると、その検出信号が水位検出器の信号変換器６を介してインバータ４に入力されることにより、主ポンプ３Ａの目標流量値を上方修正して移送量が増大するようポンプ能力を高めさせ、流量調整槽１内への異常増水による水位上昇状態が解消されことを水位検出器２が検出するに至れば再び目標流量値を通常目標値まで下方修正して主ポンプ３Ａを通常運転させる。
【００１０】
また、主ポンプ３Ａの目標流量値を上方修正して移送量を増大させても流量調整槽１内への異常増水による水位上昇状態が解消されず、更に水位上昇傾向にあることを水位検出器２が検出したときは、主ポンプ３Ａの目標流量値を上方修正した運転と共に予備ポンプ３Ｂをも稼動させた緊急送水が行われることになる。
【００１１】
【発明の効果】
本発明汚水処理施設における廃水の移送方法によれば、流量調整槽から処理槽へ廃水を移送するについて、コスト高の要因となる計量槽の介装を不要とし、該計量槽からの返送水が無くなるため、ポンプによる処理槽への送水が無駄なく行われて省エネルギー効果が得られ、且つ流量調整槽内の異常増水時にも従来のような緊急排水ポンプやオーバーフロー設備の付設を不要として、ローコストに実施することができるという利点がある。
【図面の簡単な説明】
【図１】本発明におけるシステム構成図である。
【図２】本発明におけるポンプの運転フロー図である。
【図３】本発明における流量調整槽内の水位変化とポンプ運転水量との関係を示した線図である。
【符号の説明】
１      流量調整槽
２      水位検出器
３Ａ    主ポンプ
３Ｂ    予備ポンプ
４      インバータ
５      電磁流量計
６      水位検出器の信号変換器
【図１】
2005013911.tif 000003
【図２】
2005013911.tif 000004
【図３】
2005013911.tif 000005